(57)【要約】      （修正有）【課題】手で持って左右に振るだけで裏向きのラインストーンを簡単に表向きに反転させることができ、しかも、持つ向きを意識しなくても高い反転効果が得られるラインストーンのピックアップ作業用ケースを提供する。【解決手段】多数のラインストーンＲを収容可能なラインストーンのピックアップ作業用ケースにおいて、ケース本体１を、底板部に形成された載置面１１と；この載置面１１を囲う外周に形成された側壁部１２と；前記載置面１１上にスジ状に形成された直線状凸部１３とから構成すると共に、前記載置面１１上において、複数の直線状凸部を少なくとも異なる二方向以上に形成して、連続した複数の直線状凸部で囲われた、或いは直線状凸部と側壁部１２で囲われた区画領域を、一方向だけでなく複数方向に並べた状態で載置面１１上に設けて構成した。【選択図】図３
2017000492.tif 000002
【特許請求の範囲】
【請求項１】
多数のラインストーン(Ｒ)(Ｒ)…を収容可能なラインストーンのピックアップ作業用ケースであって、
ケース本体(１)が、底板部に形成された載置面(11)と；この載置面(11)を囲う外周に形成された側壁部(12)と；前記載置面(11)上にスジ状に形成された、使用するラインストーン(Ｒ)の厚みよりも段差量が小さい直線状凸部(13)(13)…とを含んで構成されると共に、
前記載置面(11)上において、複数の直線状凸部(13)(13)…が少なくとも異なる二方向以上に形成されて、連続した複数の直線状凸部(13)(13)…で囲われた、或いは直線状凸部(13)と側壁部(12)で囲われた区画領域(Ｓ)(Ｓ)…が、一方向だけでなく複数方向に並んだ状態で載置面(11)上に設けられていることを特徴とするラインストーンのピックアップ作業用ケース。
【請求項２】
ケース本体(１)の載置面(11)上に、直線状凸部(13)(13)…が３方向に形成されて、これらの直線状凸部(13)(13)…で囲われた、或いは直線状凸部(13)と側壁部(12)で囲われた六角形状を成す区画領域(Ｓ)(Ｓ)…がハニカム状に並んだ状態で設けられていることを特徴とする請求項１記載のラインストーンのピックアップ作業用ケース。
【請求項３】
ケース本体(１)の載置面(11)上に形成される各区画領域(Ｓ)(Ｓ)…の形状が正多角形を成していることを特徴とする請求項１または２に記載のラインストーンのピックアップ作業用ケース。
【請求項４】
ケース本体(１)の載置面(11)上に形成される各区画領域(Ｓ)(Ｓ)…の大きさが、使用する所定サイズのラインストーン(Ｒ)を表向きに３〜３０個敷き詰め可能な大きさであることを特徴とする請求項１〜３の何れか一つに記載のラインストーンのピックアップ作業用ケース。
【請求項５】
ケース本体(１)の側壁部(12)の上面に、ペン型吸着具(Ｐ)を挿入するための差込み穴(12a)が設けられていることを特徴とする請求項１〜４の何れか一つに記載のラインストーンのピックアップ作業用ケース。
【請求項６】
ケース本体(１)の底面部に、ケース本体(１)の開口形状に対応する突起状または段差状の嵌合部(14)が設けられて、複数のケース本体(１)(１)…が上下に積み重ね可能に構成されていることを特徴とする請求項１〜５の何れか一つに記載のラインストーンのピックアップ作業用ケース。
【発明の詳細な説明】
【技術分野】
【０００１】
本発明は、ラインストーンのピックアップ作業用ケースの改良、詳しくは、手で持って左右に振るだけで裏向きのラインストーンを簡単に表向きに反転させることができ、しかも、持つ向きを特に意識しなくても高い反転効果が得られるラインストーンのピックアップ作業用ケースに関するものである。
【背景技術】
【０００２】
近年、ファッション分野では、髪留め等のアクセサリーや靴、ネイルチップ(付け爪)、スマートフォン等に複数のラインストーンを並べて接着するデコレーション方法が広く知られている。また、このデコレーションに関しては、専用のペン型吸着具等を使用してラインストーンを表向きの状態で拾い上げて(ピックアップして)被接着面に一つずつ配置して行われるのが一般的である。
【０００３】
ところが、複数のラインストーンをケースに入れてデコレーション作業を行う場合、通常、ケース内に無造作に入れたラインストーンは、表向きになったものと裏向きになったものが混在した状態となるため、表向きになったものを拾い上げた後は、裏向きになったものをペン型吸着具で表向きに反転させる必要がある。そのため、デコレーションの作業効率を上げることができない。
【０００４】
そこで、従来においては、ケース内の載置面上に点状凸部を所定間隔で設け、これらの凸部を利用してラインストーンを反転させる技術が提案されているが(特許文献１参照)、この技術に関しては、作業効率が多少良くなるものの、結局ペン型吸着具で裏向きになったラインストーンを一つずつ反転させなければならないため、ペン型吸着具を繊細に動かす集中力と労力が要求される。
【０００５】
一方、従来においては、ケース内の載置面上に、ラインストーンの厚みよりも小さい直線状の凸部を並べて形成する技術も公知となっており(特許文献２参照)、この技術では、ケースを左右に振ってラインストーンを表向きに反転させることができるものの、ケースを振る方向と直線状凸部の向きが直交するようにケースを持たないと充分な反転効果が得られないという問題がある。
【０００６】
しかも、上記文献２に記載の技術において、ケース形状を円形型や正方形型とした場合には、ケース形状から直線状凸部の向きを判断することができないため、使用者が直線状凸部を直接見て向きを確認してからケースを持つ必要がある。また製造者側も、使用者がケースを持つ向きが直ぐに分かるような目印をケースに付ける必要がある。
【先行技術文献】
【特許文献】
【０００７】
【特許文献１】特開２００７−２１１３５号公報
【特許文献２】特開２０１３−７０９７８号公報
【発明の概要】
【発明が解決しようとする課題】
【０００８】
本発明は、上記の如き問題に鑑みて為されたものであり、その目的とするところは、ラインストーンのピックアップ作業時に手で持って左右に振るだけで裏向きのラインストーンを簡単に表向きに反転させることができ、しかも、持つ向きを意識しなくても高い反転効果が得られるラインストーンのピックアップ作業用ケースを提供することにある。
【課題を解決するための手段】
【０００９】
本発明者が上記課題を解決するために採用した手段は次のとおりである。
【００１０】
即ち、本発明は、多数のラインストーンＲ・Ｒ…を収容可能なラインストーンのピックアップ作業用ケースにおいて、
ケース本体１を、底板部に形成された載置面11と；この載置面11を囲う外周に形成された側壁部12と；前記載置面11上にスジ状に形成された、使用するラインストーンＲの厚みよりも段差量が小さい直線状凸部13・13…とから構成すると共に、
前記載置面11上において、複数の直線状凸部13・13…を少なくとも異なる二方向以上に形成して、連続した複数の直線状凸部13・13…で囲われた、或いは直線状凸部13と側壁部12で囲われた区画領域Ｓ・Ｓ…を、一方向だけでなく複数方向に並べた状態で載置面11上に設けた点に特徴がある。
【００１１】
なお、本明細書中の「ラインストーン」には、表面がファセットカットされた水晶、ガラスまたは合成樹脂製(アクリル樹脂製等)の平坦な裏面側に金属層が真空蒸着等によって形成された模造宝石だけでなく、半球状の形態から成る金属体や合成樹脂体等も含まれるものとする。
【００１２】
また本発明では、上記ケース本体１の載置面11上に、直線状凸部13・13…を３方向に形成して、これらの直線状凸部13・13…で囲われた、或いは直線状凸部13と側壁部12で囲われた六角形状を成す区画領域Ｓ・Ｓ…をハニカム状に並べて設けることもでき、これによって、各区画領域Ｓ内におけるラインストーンＲの収容効率、及びケース本体１を斜め下に傾けて左右に振った際のラインストーンＲ・Ｒ…の分散性を高めることができる。
【００１３】
しかも、上記ケース本体１の載置面11上に形成される各区画領域Ｓ・Ｓ…に関しては、形状を正多角形とすることによってケース本体１のどの場所を持って左右に振ったとしても同じようにラインストーンＲ・Ｒ…を反転させることができる。
【００１４】
加えて、上記ケース本体１の載置面11上に形成される各区画領域Ｓ・Ｓ…の大きさに関しては、使用する所定サイズのラインストーンＲを表向きに３〜３０個敷き詰め可能な大きさとすることによって、ラインストーンＲを効率良く反転させることができる。
【００１５】
一方、本発明では、上記ケース本体１の側壁部12の上面に、ペン型吸着具Ｐを挿入するための差込み穴12aを設けることもでき、これによってケース本体１をペン型吸着具Ｐのスタンドとしても利用することができる。
【００１６】
また更に、本発明では、上記ケース本体１の底面部に、ケース本体１の開口形状に対応する突起状または段差状の嵌合部14を設けることもでき、これによって複数のケース本体１・１…を上下に積み重ねて使用することが可能となる。
【発明の効果】
【００１７】
本発明では、ラインストーンのピックアップ作業用ケースにおいて、載置面上に直線状凸部を異なる二方向以上に形成して、直線状凸部や側壁部で囲われる区画領域を複数方向に形成したことによって、ケースを斜め下に傾けた状態で左右に振るだけで、ラインストーンを横側と下側の直線状凸部に接触させて効率良く反転させることができるため、デコレーションの作業効率を格段に向上させることができる。
【００１８】
しかも、本発明では、上記区画領域を複数方向に並べて形成したことによって、ケースをどの向きで持っても同様の反転効果が得られるため、使用者はケースを持ち上げる際に直線状凸部の向きを確認する必要がなく、無造作にケースを持って作業を行うことができる。またケース形状が円形型や正多角形型とする場合にも、直線状凸部の向きを示すための目印等を設ける必要がない。
【００１９】
したがって、本発明により、ラインストーンのデコレーションを行う際に、高い集中力を要することなくラインストーンを表向きに簡単に揃えることができ、更に表向きになったラインストーンをペン型吸着具等でピックアップして迅速に装飾対象面に並べることのできるラインストーンのピックアップ作業用ケースを提供できることから、本発明の実用的利用価値は頗る高い。
【図面の簡単な説明】
【００２０】
【図１】本発明の実施例１におけるラインストーンのピックアップ作業用ケースを表わす全体斜視図である。
【図２】本発明の実施例１におけるピックアップ作業用ケースの使用状態を表わす上面図である。
【図３】本発明の実施例１におけるピックアップ作業用ケースの形状を表わす断面図である。
【図４】本発明の実施例１におけるピックアップ作業用ケースの使用状態および機能を表わす状態説明図である。
【図５】本発明の実施例１におけるピックアップ作業用ケースをスタンドとして使用する状態を表わす状態説明図である。
【図６】本発明の実施例１におけるピックアップ作業用ケースを積み重ねた状態を表わす状態説明図である。
【発明を実施するための形態】
【００２１】
『実施例１』
まず本発明の実施例１について、図１〜図４に基いて以下に説明する。なお同図において、符号１で指示するものは、ケース本体であり、符号Ｒで指示するものは、ラインストーンである。また符号Ｐで指示するものは、ペン型吸着具である。
【００２２】
「ピックアップ作業用ケースの基本構成」
この実施例１では、図１に示すように、底板部に形成された載置面11の外周に側壁部12を設けてケース本体１を構成している。そして、このケース本体１は、ラインストーンのピックアップ作業時に、図２に示すように、内側に多数のラインストーンＲ・Ｒ…を収容して、載置面11上で表向きになったラインストーンＲを専用の器具で一つずつ拾い上げて使用される。
【００２３】
また、上記ケース本体１の載置面11上には、図３に示すように、使用するラインストーンＲの厚みＨ1よりも段差量Ｈ2が小さいスジ状の直線状凸部13・13…を形成している。これにより、裏向きのラインストーンＲが、直線状凸部13を乗り越えて移動する際に、表側の傾斜面Ｔがガイドとなって回転しながら浮き上がるため、ラインストーンＲが反転し易くなる。
【００２４】
「直線状凸部の段差量」
なお本実施例では、上記直線状凸部13の段差量Ｈ1を、ラインストーンＲの厚みＨ2である2mmよりも小さい0.8mm程度にしているが、ラインストーンＲの粒サイズやカット面の形状等によって厚さは様々であるため、使用するラインストーンＲの厚さに合った段差量とする必要がある。また、直線状凸部13の段差量Ｈ1は、ラインストーンＲの厚さＨ2の１／４〜３／４の大きさとするのが好ましい。
【００２５】
「直線状凸部で区切られた区画領域」
また更に、上記ケース本体１の載置面11上には、図１及び図２に示すように、直線状凸部13・13…を異なる三方向に複数形成することによって、連続した複数の直線状凸部13・13…で囲われた、或いは直線状凸部13と側壁部12で囲われた区画領域Ｓ・Ｓ…を設け、これらの区画領域Ｓ・Ｓ…が、載置面11上において一方向だけでなく複数方向に並ぶようにしている。
【００２６】
これにより、ラインストーンＲを収容したケース本体１を手で持って、図４(a)に示すように斜め下に傾けた状態で左右に振った際に、上側の区画領域Ｓに配置されたラインストーンＲ・Ｒ…が横方向に移動するときだけでなく、下方向に移動するときにも直線状凸部12・12…に接触して反転するため、ラインストーンＲ・Ｒ…を効率良く表向きに揃えることができる。
【００２７】
「区画領域の形状」
特に本実施例では、上記区画領域Ｓ・Ｓ…を、正六角形状を成すように形成して、これらがハニカム状に並ぶようにしているため、ケース本体１を傾けて左右に振った際に、上側の区画領域Ｓに配置されたラインストーンＲ・Ｒ…を、図４(b)に示すように横方向や真下方向、斜め下方向の区画領域Ｓ・Ｓ…に分散させて移動させることができる。したがって、ラインストーンＲ・Ｒ…の片寄りを抑えて反転効率を向上させることができる。
【００２８】
また本実施例では、上記区画領域Ｓ・Ｓ…の形状を六角形状としたことにより、ラインストーンＲ・Ｒ…の収容効率も高めることができる。具体的には、区画領域Ｓの形状を、角部が鋭角となる三角形とした場合には、ラインストーンＲ・Ｒ…を敷き詰めたときに角部分に生じるデッドスペースが大きくなるが、角部が鈍角となる六角形状ではそのようなデッドスペースが生じ難くなる。
【００２９】
また更に、本実施例では、上記のように区画領域Ｓ・Ｓ…形状を正多角形としたことにより、ケース本体１のどの場所を持って左右に振ったとしても、同様の反転効果が得られる。具体的には、区画領域Ｓの形状が長方形等の場合には、ケース本体１を持つ場所によって区画領域Ｓの縦横幅が大きく変わってしまうが、正多角形の場合には、区画領域Ｓの縦横幅が大きく変わることはない。
【００３０】
「区画領域の大きさ」
また本実施例では、上記ケース本体１の載置面11上に形成される各区画領域Ｓ・Ｓ…の大きさを、使用する直径4.8mmのラインストーンＲを表向きに８個程度敷き詰め可能な大きさとしている。これは、区画領域Ｓの面積が小さ過ぎたり大き過ぎたりすると、ケース本体１を左右に振ったときにラインストーンＲが反転し難くなるためである。
【００３１】
なお、上記区画領域Ｓの大きさに関しては、使用する所定サイズのラインストーンＲを３〜３０個敷き詰め可能な大きさが好ましいが、サイズの小さいラインストーンＲを使用する場合には３０個以上入る大きさとすることもできる。なおラインストーンＲの大きさに関しては、1mm〜10mm程度のものが一般的であるが、1mm以下のものや10mm以上のものも存在するため、区画領域Ｓを粒サイズに合った大きさとする必要がある。
【００３２】
「ケース本体の材質・形状」
一方、本実施例では、ケース本体１を硬質なプラスチック材料から作製しているが、硬質な材料であれば必要に応じてセラミック材料や金属材料等を使用することもできる。またケース本体１の載置面11の滑りを良くしたり、ラインストーンＲが傷付きを防止したりするために、表面に布帛等の異種素材を張り付けることもできる。
【００３３】
また本実施例では、ケース本体１の輪郭形状を正六角形型としており、これによって側壁部12の対向する二側面を指で挟んでケース本体１を簡単に持ち上げることができる。またこれによって、ケース本体１を持つ向きを限定することもできる。なおケース本体１の大きさに関しては、手で持てる枡型のサイズが望ましいが、ケース本体１に把手部を形成して大きめに形成することもできる。またケース本体１の収容量に関しては、趣味用のものでラインストーンＲが数十個から数百個入る大きさ、業務用のものでラインストーンＲが数百個から数千個程入る大きさを目安とすることができる。
【００３４】
「側壁上面の差込み穴」
また本実施例では、上記ケース本体１の側壁部12の上面に所定寸法の差込み穴12aを設けている(図１参照)。そして、この差込み穴12aに、図５に示すようにペン型吸着具Ｐの先端部を挿入すれば、ケース本体１をペン型吸着具Ｐのスタンドとしても利用することができる。なお本実施例では、上記差込み穴12aをケース本体１の側壁部12の厚みが部分的に大きくなっている場所に設けている。
【００３５】
「ケース本体の底面形状」
また更に、本実施例では、図３に示すように、上記ケース本体１の底面部に、ケース本体１の開口形状に対応するスジ状突起型の嵌合部14を設けている。これにより、図６に示すように、複数のケース本体１・１…を上下に積み重ねて使用することができる。これは特に、ラインストーンＲの粒サイズやカラーバリエーション毎に複数のケース本体１・１…を使い分ける際に都合が良い。
【００３６】
また本実施例では、上記嵌合部14をスジ状突起として形成しているが、嵌合部14は重箱構造に用いられる他の形状であってもよく、例えば、底面部の外周部分を凹ませて形成した段差部を嵌合部とすることもでき、また開口部分の各角部の位置に合わせて複数設けた脚状の突起を嵌合部とすることもできる。
【００３７】
本発明は、概ね上記のように構成されるが、記載した実施例にのみ限定されるものではなく、「特許請求の範囲」の記載内において種々の変更が可能であって、例えば、ケース本体１の全体形状に関しては、区画領域Ｓの形状と一致させる必要はなく円形や四角形などの形状を採用することもできる。
【００３８】
また、ケース本体１に形成する区画領域の形状に関しても、六角形に限らず三角形や四角形等の形状も採用でき、また複数種類の形状の区画領域Ｓが並ぶように直線状突起13を設けることもできる。また複数の直線状凸部13に関しても、少なくとも異なる二方向以上に設けられていればよく(二方向の例としては格子状や煉瓦状)、何れのものも本発明の技術的範囲に属する。
【産業上の利用可能性】
【００３９】
最近では、特に女性の間でラインストーンを用いたデコレーションの人気が高く、ビジネスやプライベートでデコレーションを行う者が増えたことから、技巧を必要としないデコレーション用器具の需要が大きくなっている。そのような中で、本発明のラインストーンのピックアップ作業用ケースは、誰でも簡単に裏向きのラインストーンを表向きに反転させることのできる有用な技術であるため、その産業上の利用価値は非常に高い。
【符号の説明】
【００４０】
１  ケース本体
11  載置面
12  側壁部
12a  差込み穴
13  直線状凸部
14  嵌合部
Ｒ  ラインストーン
Ｓ  区画領域
Ｔ  傾斜面
Ｐ  ペン型吸着具
【図１】
2017000492.tif 000003
【図２】
2017000492.tif 000004
【図３】
2017000492.tif 000005
【図４】
2017000492.tif 000006
【図５】
2017000492.tif 000007
【図６】
2017000492.tif 000008